(57)【要約】【課題】専用の固定部品が不要で組み付け工数を従来よりも低減することが可能でありながら、摩耗などの劣化が起こりやすい部材を適切に保護することができる遊技台を提供する。【解決手段】遊技台は、遊技媒体を貯留可能な受け部材と、前記受け部材の少なくとも一部を覆うように前記受け部材に取り付けられるプレート部材と、を備える。また、前記プレート部材は、前記受け部材における前記遊技媒体が貯留される側の第１の面の少なくとも一部を覆う略平面状の上面部と、前記上面部を基端として延設された側面部と、前記側面部を基端として前記上面部と同一方向に延設され、前記遊技媒体が貯留される側の面の裏側の第２の面の少なくとも一部を覆う略平面状の下面部と、を有して構成されている。【選択図】図３
2011224159.tif 000002
【特許請求の範囲】
【請求項１】
遊技媒体を貯留可能な受け部材と、
前記受け部材の少なくとも一部を覆うように前記受け部材に取り付けられるプレート部材と、を備え、
前記プレート部材は、
前記受け部材における前記遊技媒体が貯留される側の第１の面の少なくとも一部を覆う略平面状の上面部と、
前記上面部を基端として延設された側面部と、
前記側面部を基端として前記上面部と同一方向に延設され、前記遊技媒体が貯留される側の面の裏側の第２の面の少なくとも一部を覆う略平面状の下面部と、を有して構成されていることを特徴とする、
遊技台。
【請求項２】
前記プレート部材を前記受け部材に取り付けた際に前記上面部に覆われる第１の面と前記下面部に覆われる第２の面との間の最大長さが、前記プレート部材を前記受け部材に取り付ける前における前記上面部と前記下面部との間の最小長さよりも大きいことを特徴とする、
請求項１に記載の遊技台。
【請求項３】
前記第１の面には、
前記プレート部材を前記受け部材に取り付ける際に、前記プレート部材の上面部を前記受け部材の第１の面の方向に導くための傾斜面が形成され、
前記第２の面には、
前記プレート部材を前記受け部材に取り付ける際に、前記プレート部材の下面部を前記受け部材の第２の面の方向に導くための傾斜面が形成されていることを特徴とする、
請求項１または２に記載の遊技台。
【請求項４】
前記第２の面における傾斜面は、
第１の傾斜面と、前記第１の傾斜面よりも傾斜角度が小さい第２の傾斜面を含むことを特徴とする、
請求項３に記載の遊技台。
【請求項５】
前記受け部材は、プラスチックからなり、
前記プレート部材は、前記プラスチックよりも硬い材料からなることを特徴とする、
請求項１〜４のいずれかに記載の遊技台。
【請求項６】
前記プレート部材の上面部は、
前記受け部材の第１の面の略全域を覆う形状とされており、
前記プレート部材の下面部は、
前記上面部と略同一形状とされていることを特徴とする、
請求項１〜５のいずれかに記載の遊技台。
【発明の詳細な説明】
【技術分野】
【０００１】
本発明は、スロットマシンやパチンコ機などに代表される遊技台に関する。
【背景技術】
【０００２】
従来の多くの遊技台は、遊技媒体と接触する接触部に静電気が蓄積し易く、また磨耗し易いことから、接触部には耐摩耗性、導電性を有する補強部材が設けられている（例えば、特許文献１参照）。
【先行技術文献】
【特許文献】
【０００３】
【特許文献１】特開２００７−２３６７７４号公報
【発明の概要】
【発明が解決しようとする課題】
【０００４】
しかしながら、従来の遊技台における対処方法では、補強部材を接触部に係止する際に補強部材を固定するための専用固定部品(例えば、両面テープやねじ等）が必要で、補強部材を組み付けるための工数が大きいといった問題点があった。
【０００５】
本発明は、このような従来の問題点を解決するためになされたものであって、専用の固定部品が不要で組み付け工数を従来よりも低減することが可能でありながら、摩耗などの劣化が起こりやすい部材を適切に保護することができる遊技台を提供することを目的とする。
【課題を解決するための手段】
【０００６】
本発明は、遊技媒体を貯留可能な受け部材と、前記受け部材の少なくとも一部を覆うように前記受け部材に取り付けられるプレート部材と、を備え、前記プレート部材は、前記受け部材における前記遊技媒体が貯留される側の第１の面の少なくとも一部を覆う略平面状の上面部と、前記上面部を基端として延設された側面部と、前記側面部を基端として前記上面部と同一方向に延設され、前記遊技媒体が貯留される側の面の裏側の第２の面の少なくとも一部を覆う略平面状の下面部と、を有して構成されていることを特徴とする、遊技台である。
【発明の効果】
【０００７】
本発明に係る遊技台は、専用の固定部品が不要で組み付け工数を従来よりも低減することが可能でありながら、摩耗などの劣化が起こりやすい部材を適切に保護することができる。
【図面の簡単な説明】
【０００８】
【図１】本発明の実施形態に係るスロットマシンの外観を示す斜視図である。
【図２】前面扉から受け皿ユニット２００を取り外した様子を示した分解斜視図である。
【図３】受け皿ユニット２００の分解斜視図である。
【図４】（ａ）補強部材２２０の一部を透過して示す斜視図である。（ｂ）（ａ）のＡ−Ａ線に沿う断面図である。（ｃ）（ａ）のＢ−Ｂ線に沿う断面図である。（ｄ）（ａ）のＣ−Ｃ線に沿う断面図である。
【図５】（ａ）〜（ｃ）補強部材２２０をメダル受け皿２１０に取り付ける様子を示した図である。
【図６】図５（ｂ）の状態におけるメダル受け皿用爪２１２の周辺を拡大して示す部分拡大図である。
【図７】従来の受け皿ユニット３００の分解斜視図である。
【図８】変形例１の受け皿ユニット４００の分解斜視図である。
【図９】（ａ）補強部材４２０の一部を透過して示す斜視図である。（ｂ）（ａ）のＡ−Ａ線に沿う断面図である。（ｃ）（ａ）のＢ−Ｂ線に沿う断面図である。（ｄ）（ａ）のＣ−Ｃ線に沿う断面図である。
【図１０】従来の受け皿ユニットと変形例１の受け皿ユニット４００のたわみ量の違いを模式的に示した図である。
【図１１】従来の受け皿ユニットと変形例１の受け皿ユニット４００の防火性の違いを模式的に示した図である。
【発明を実施するための形態】
【０００９】
以下、図面を用いて、本発明の実施形態に係るスロットマシン１００について詳細に説明する。
＜全体構成＞
【００１０】
図１に示すスロットマシン１００は、本体１０１と、本体１０１の正面に取り付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【００１４】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１７】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１８】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００１９】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２０】
ストップボタンユニット１３６の下部には、機種名の表示と各種証紙の貼付とを行うタイトルパネル１６２が設けられている。タイトルパネル１６２の下部には、メダル払出口１５５と、このメダル払出口１５５から排出されたメダルを貯留するための受け皿ユニット２００（詳細は後述）が設けられている。
【００２１】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（演出画像表示装置）を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。
【００２２】
＜受け皿ユニット＞
【００２３】
次に、図２および図３を用いて、上述の受け皿ユニット２００について詳細に説明する。なお、図２は前面扉１０２から受け皿ユニット２００を取り外した様子を示した分解斜視図であり、図３は受け皿ユニット２００の分解斜視図である。
【００２４】
受け皿ユニット２００は、前面扉１０２の前面側（遊技者側）の底部近傍に前面扉１０２に対して着脱可能に取り付けられており、プラスチック製のメダル受け皿２１０と、金属製の補強部材２２０と、灰皿２３０を有して構成されている。なお、メダル受け皿２１０や補強部材２２０の材質は、これらに限定されるものではない。
【００２５】
メダル受け皿２１０には、前面側から左右両側にかけて壁が立設されており、メダル受け皿２１０は、４つのメダル受け皿用爪２１２を介して前面扉１０２に取り付けられた状態では、メダル払出口１５５から排出されたメダルを一時的に貯留するための部材として機能する。補強部材２２０は、詳細は後述するが、メダル受け皿２１０の底面（メダル払出口１５５から排出されたメダルが貯留される面）を覆うようにしてメダル受け皿２１０に取り付けられて、メダル受け皿２１０の強度を補う部材およびメダルからの衝撃によってメダル受け皿２１０が摩耗するのを防止する部材として機能する。灰皿２３０は、灰皿固定用ねじ２３２によってメダル受け皿２１０の内側空間に固定される。
【００２６】
＜補強部材＞
【００２７】
次に、図４を用いて、上述の補強部材２２０について詳細に説明する。なお、同図（ａ）は補強部材２２０の一部を透過して示す斜視図、同図（ｂ）は（ａ）のＡ−Ａ線に沿う断面図、同図（ｃ）は（ａ）のＢ−Ｂ線に沿う断面図、同図（ｄ）は（ａ）のＣ−Ｃ線に沿う断面図である。
【００２８】
補強部材２２０は、平板状の上面部２２２と、この上面部２２２の一方の長辺を基端として略直角方向に延設された側面部２２４と、この側面部２２４の一方の長辺を基端として上面部２２２と同一方向に延設された、上面部２２２よりも短手方向の寸法が短い下面部２２６によって構成されている。
【００２９】
上面部２２２には、上述の灰皿固定用ねじ２３２を挿通可能な固定ねじ用開口部２２２Ａが形成されている。また、側面部２２４には、メダル受け皿２１０のメダル受け皿用爪２１２を挿通可能な爪用開口部２２４Ａと、メダル受け皿２１０を前面扉１０２に固定するためのねじを挿通可能なねじ用開口部２２４Ｂが形成されている。
【００３０】
図５（ａ）〜（ｃ）は補強部材２２０をメダル受け皿２１０に取り付ける様子を示した図であり、図６は図５（ｂ）の状態におけるメダル受け皿用爪２１２の周辺を拡大して示す部分拡大図である。
【００３１】
図６に拡大して示すように、メダル受け皿２１０の底部上面には、メダル受け皿用爪２１２に向かって下方傾斜する上側傾斜面２１０Ａが形成されている。また、メダル受け皿２１０の底部下面には、メダル受け皿用爪２１２に向かって上方傾斜する下側第１傾斜面２１０Ｂと、この下側第１傾斜面２１０Ｂよりも緩やかな角度で上方傾斜する下側第２傾斜面２１０Ｃと、補強部材２２０の下面部２２６が当接可能な当接面２１０Ｄを有して構成されている。また、メダル受け皿２１０の底部の厚み（メダル受け皿２１０の底部上面において補強部材２２０の上面部２２２が接触する面と、メダル受け皿２１０の底部下面において補強部材２２０の下面部２２６が接触する面との間の最大距離）Ｘは、補強部材２２０の上面部２２２の内側面と補強部材２２０の下面部２２６の内側面との間の最小距離Ｙよりも大きくなるように設定されている。
【００３２】
補強部材２２０をメダル受け皿２１０に取り付ける場合には、図５（ａ）〜（ｃ）に示すように、補強部材２２０の上面部２２２が、メダル受け皿２１０の底部上面に沿うようにして補強部材２２０をメダル受け皿２１０に向けてスライドさせ、補強部材２２０をメダル受け皿２１０の底部に嵌合させる。
【００３３】
このとき、メダル受け皿２１０の底部上面に形成された上側傾斜面２１０Ａは、補強部材２２０の上面部２２２の先端が当接した場合に、上面部２２２の先端を傾斜面に沿って上方に導いて上述の距離Ｙを拡げることによって、補強部材２２０をメダル受け皿２１０にスムーズに嵌合させる役割を果たしている。
【００３４】
続いて、補強部材２２０をさらにメダル受け皿２１０側にスライドさせていった場合、メダル受け皿２１０の底部下面に形成された下側第１傾斜面２１０Ｂは、補強部材２２０の下面部２２６の先端が当接した場合に、下面部２２６の先端を傾斜面に沿って下側第２傾斜面２１０Ｃの方向に導いて上述の距離Ｙを拡げる役割を果たし、さらに、この下側第１傾斜面２１０Ｂは、補強部材２２０の下面部２２６の先端が当接した場合に、下面部２２６の先端を傾斜面に沿って下方に導いて上述の距離Ｙを拡げることによって、補強部材２２０をメダル受け皿２１０にスムーズに嵌合させる役割を果たしている。
【００３５】
続いて、補強部材２２０をさらにメダル受け皿２１０側にスライドさせていった場合、下面部２２６の先端はメダル受け皿２１０の底部下面に形成された当接面２１０Ｄに当接し、これによりメダル受け皿２１０の位置決めが行われる。
【００３６】
＜従来の受け皿ユニット＞
【００３７】
図７は、従来の受け皿ユニット３００の分解斜視図である。この従来の受け皿ユニット３００は、上述のメダル受け皿２１０に相当するメダル受け皿３１０と、上述の灰皿２３０に相当する灰皿３３０と、補強部材３２０を有して構成されている。
【００３８】
補強部材３２０は、上述の補強部材２２０から下面部２２６を取り除いたような形状を有しており、側面視がほぼＬ字形状の部材である。この受け皿ユニット３００では、補強部材３２０の上面部とメダル受け皿３１０の底部上面を両面テープ３３０で固定するように構成されている。
【００３９】
このような従来の受け皿ユニット３００では、両面テープ３３０の劣化などに伴って、補強部材３２０の上面部とメダル受け皿３１０の底部上面が剥離し、メダル受け皿３１０から補強部材３２０が浮き上がってしまうといった問題や、両面テープ３３０に替えて固定用のねじなどを用いた場合には、部品点数が増加したり組み付け工数が増大してしまうといった問題があった。
【００４０】
＜変形例１の受け皿ユニット＞
【００４１】
図８は、変形例１の受け皿ユニット４００の分解斜視図である。この従来の受け皿ユニット４００は、上述のメダル受け皿２１０および灰皿２３０と、補強部材４２０を有して構成されている。なお、上述の補強部材２２０と同一または類似する部分については説明を省略する。
【００４２】
図９（ａ）は補強部材４２０の一部を透過して示す斜視図、同図（ｂ）は（ａ）のＡ−Ａ線に沿う断面図、同図（ｃ）は（ａ）のＢ−Ｂ線に沿う断面図、同図（ｄ）は（ａ）のＣ−Ｃ線に沿う断面図である。
【００４３】
補強部材４２０は、平板状の上面部４２２と、この上面部４２２の一方の長辺を基端として略直角方向に延設された側面部４２４と、この側面部４２４の一方の長辺を基端として上面部４２２と同一方向に延設された、上面部４２２と同一形状の下面部４２６によって構成されており、側面方向から見ると略コの字形状に形成されている。
【００４４】
この補強部材４２０によれば、メダル受け皿２１０の底部上面と底部下面の両側の大部分を覆うことができるため、受け皿ユニット４００の強度を、より高めることが可能となる。例えば、図１０に示すように、遊技者などが受け皿ユニット４００に対して下方に荷重をかけた場合でも、同図（ｃ）に示す、受け皿ユニット４００のたわみ量Ｙを、同図（ｂ）に示す、従来の受け皿ユニット３００のたわみ量Ｘよりも小さくすることができ、受け皿ユニット４００の剛性を高めることができる。
【００４５】
また、図１１に示すように、従来の受け皿ユニット３００では補強部材によってメダル受け皿の底部下面が保護されていないため、防火性が低いが、受け皿ユニット４００によれば、メダル受け皿２１０の底部下面の大部分を覆うことができるため、受け皿ユニット４００の従来の受け皿ユニット３００よりも防火性を高めることができる。
【００４６】
以上説明したように、本実施形態に係るスロットマシン１００は、遊技媒体を貯留可能な受け部材（例えば、メダル受け皿２１０）と、前記受け部材の少なくとも一部を覆うように前記受け部材に取り付けられるプレート部材（例えば、補強部材２２０）と、を備え、前記プレート部材は、前記受け部材における前記遊技媒体が貯留される側の第１の面の少なくとも一部を覆う略平面状の上面部（例えば、上面部２２２）と、前記上面部を基端として延設された側面部（例えば、側面部２２４）と、前記側面部を基端として前記上面部と同一方向に延設され、前記遊技媒体が貯留される側の面の裏側の第２の面の少なくとも一部を覆う略平面状の下面部（例えば、下面部２２６）と、を有して構成されていることを特徴とする、遊技台である。
【００４７】
本実施形態に係るスロットマシン１００によれば、プレート部材を固定するための専用の固定部品が不要で組み付け工数を従来よりも低減することが可能でありながら、摩耗などの劣化が起こりやすい部材を適切に保護することができる。
【００４８】
また、前記プレート部材を前記受け部材に取り付けた際に前記上面部に覆われる第１の面と前記下面部に覆われる第２の面との間の最大長さ（例えば、図６に示す厚みＸ）が、前記プレート部材を前記受け部材に取り付ける前における前記上面部と前記下面部との間の最小長さ（例えば、図６に示す最小距離Ｙ）よりも大きくてもよい。
【００４９】
このような構成とすれば、プレート部材を受け部材に強固かつ簡易に取り付けることができ、組み付け工数をさらに短縮することができる。
【００５０】
また、前記第１の面には、前記プレート部材を前記受け部材に取り付ける際に、前記プレート部材の上面部を前記受け部材の第１の面の方向に導くための傾斜面（例えば、上側傾斜面２１０Ａ）が形成され、前記第２の面には、前記プレート部材を前記受け部材に取り付ける際に、前記プレート部材の下面部を前記受け部材の第２の面の方向に導くための傾斜面（例えば、下側第１傾斜面２１０Ｂや下側第２傾斜面２１０Ｃ）が形成されていてもよい。
【００５１】
このような構成とすれば、プレート部材を受け部材に円滑に取り付けることができ、組み付け工数をさらに短縮することができる。
【００５２】
また、前記第２の面における傾斜面は、第１の傾斜面（例えば、下側第１傾斜面２１０Ｂ）と、前記第１の傾斜面よりも傾斜角度が小さい第２の傾斜面（例えば、下側第２傾斜面２１０Ｃ）を含んでいてもよい。
【００５３】
このような構成とすれば、プレート部材の下面部を、より円滑にスライドさせることができ、組み付け工数をさらに短縮することができる。
【００５４】
また、前記受け部材は、プラスチックからなり、前記プレート部材は、前記プラスチックよりも硬い材料（例えば、金属）からなるように構成してもよい。このような構成とすれば、受け部材の強度を、より一層高めることができる。
【００５５】
また、前記プレート部材の上面部は、前記受け部材の第１の面の全域を覆う形状とされており、前記プレート部材の下面部は、前記上面部と同一形状とされていてもよい。このような構成とすれば、受け部材の強度や防火性能を高めることができる。
【００５６】
なお、本発明は、例えば、パチンコ機（１種、２種、３種）、封入式パチンコ機、およびパチロット等にも適用することができるし、アレンジボール遊技機、じゃん球遊技機、スマートボール等にも適用することができる。
【００５７】
また、本発明の実施例に記載された作用および効果は、本発明から生じる最も好適な作用および効果を列挙したに過ぎず、本発明による作用および効果は、本発明の実施例に記載されたものに限定されるものではない。
【産業上の利用可能性】
【００５８】
本発明に係る遊技台は、スロットマシンや遊技機（パチンコ等）に代表される遊技台に適用することができる。
【符号の説明】
【００５９】
１００  スロットマシン
１１０、１１１、１１２  リール
１１３  図柄表示窓
１１４  入賞ライン
１３０、１３１  メダル投入ボタン
１３５  スタートレバー
１３７、１３８、１３９  ストップボタン
１５７  液晶表示装置
２００  受け皿ユニット
２１０  メダル受け皿
２２０  補強部材
【図１】
2011224159.tif 000003
【図２】
2011224159.tif 000004
【図３】
2011224159.tif 000005
【図４】
2011224159.tif 000006
【図５】
2011224159.tif 000007
【図６】
2011224159.tif 000008
【図７】
2011224159.tif 000009
【図８】
2011224159.tif 000010
【図９】
2011224159.tif 000011
【図１０】
2011224159.tif 000012
【図１１】
2011224159.tif 000013